(57)【特許請求の範囲】
【請求項１】
クロック信号を用いて、入力電圧とは異なるレベルの出力電圧を生成するパワースイッチ回路と、
前記出力電圧に基づく帰還電圧と基準電圧とを比較し、比較結果を示す比較結果信号を生成する比較回路と、
前記比較結果信号が第１のレベルであるとき、第１の周波数での発振により生成されるクロック信号に同期した動作制御信号を出力し、前記比較結果信号が第２のレベルであるとき、第２の周波数での発振により生成される動作制御信号を出力する動作制御回路と
を具備し、
前記比較回路は、前記動作制御信号に基づいて間欠動作する、
スイッチング電源回路。
【請求項２】
前記動作制御回路は、前記クロック信号を分周することによって分周信号を生成する分周回路を含み、
前記動作制御回路は、前記比較結果信号が第１のレベルであるならば、前記分周信号を前記動作制御信号として出力する、
請求項１記載のスイッチング電源回路。
【請求項３】
所定の周波数で発振することによってクロック信号を生成する発振回路と、
前記クロック信号に同期した動作制御信号を生成する動作制御回路と
前記クロック信号を用いて、入力電圧とは異なるレベルの出力電圧を生成するパワースイッチ回路と、
前記動作制御信号に応じて間欠動作し、動作時には前記出力電圧に基づく帰還電圧と基準電圧とを比較し、比較結果を示す比較結果信号を生成する比較回路と、
前記比較結果信号が第１のレベルであるならば前記発振回路からのクロック信号を前記パワースイッチ回路へと供給し、前記比較結果信号が第２のレベルであるならば前記発振回路からのクロック信号の供給を遮断するスイッチと、
を具備するスイッチング電源回路。
【請求項４】
前記動作制御回路は、前記クロック信号を分周することによって前記動作制御信号を生成する、請求項３記載のスイッチング電源回路。
【請求項５】
前記発振回路は、前記比較結果信号が第１のレベルおよび第２のレベルのいずれであるかに依存して前記クロック信号の特性を切り替える、請求項３記載のスイッチング電源回路。
【発明の詳細な説明】
【技術分野】
【０００１】
実施形態は、スイッチング電源回路に関する。
【背景技術】
【０００２】
スイッチング電源回路は、典型的には、比較回路、発振回路および昇圧回路を含む。比較回路は、昇圧回路の出力電圧を基準電圧と比較し、当該出力電圧が当該基準電圧を下回ると発振回路を動作させる。発振回路は、発振信号を生成し、当該発振信号を昇圧回路へと供給する。昇圧回路は、内蔵スイッチのＯＮ／ＯＦＦを上記発振信号に応じて制御することにより、入力電圧よりも高い出力電圧を生成する。比較回路は、昇圧回路の出力電圧が基準電圧以上になると発振回路を停止させる。係る負帰還制御を通じて、昇圧回路の出力電圧は基準電圧に近づく。
【０００３】
上記比較回路を定常的に動作させる代わりに間欠動作させることによって、当該比較回路における消費電力を削減することが可能である。しかしながら、比較回路を間欠動作させるための動作制御信号を生成するために新たな信号源を追加すれば、当該信号源の追加による消費電力の増大が問題となる。
【先行技術文献】
【特許文献】
【０００４】
【特許文献１】特開平０９−２８８８９７号公報
【発明の概要】
【発明が解決しようとする課題】
【０００５】
実施形態は、スイッチング電源回路の消費電力を削減することを目的とする。
【課題を解決するための手段】
【０００６】
実施形態によれば、スイッチング電源回路は、パワースイッチ回路と、比較回路と、発振回路と、動作制御回路とを含む。パワースイッチ回路は、クロック信号を用いて、入力電圧とは異なるレベルの出力電圧を生成する。比較回路は、動作制御信号に応じて間欠動作し、動作時には出力電圧に基づく帰還電圧と基準電圧とを比較し、比較結果を示す比較結果信号を生成する。発振回路は、比較結果信号が第１のレベルであるならば、所定の周波数で発振することによってクロック信号を生成する。動作制御回路は、クロック信号および比較結果信号に基づいて、動作制御信号を生成する。動作制御回路は、比較結果信号が第１のレベルであるならば、クロック信号に同期した動作制御信号を生成する。
【０００７】
実施形態によれば、スイッチング電源回路は、発振回路と、動作制御回路と、パワースイッチ回路と、比較回路と、スイッチとを含む。発振回路は、所定の周波数で発振することによってクロック信号を生成する。動作制御回路は、クロック信号に同期した動作制御信号を生成する。パワースイッチ回路は、クロック信号を用いて、入力電圧とは異なるレベルの出力電圧を生成する。比較回路は、動作制御信号に応じて間欠動作し、動作時には出力電圧に基づく帰還電圧と基準電圧とを比較し、比較結果を示す比較結果信号を生成する。スイッチは、比較結果信号が第１のレベルであるならば発振回路からのクロック信号をパワースイッチ回路へと供給し、比較結果信号が第２のレベルであるならば発振回路からのクロック信号の供給を遮断する。
【０００８】
実施形態によれば、スイッチング電源回路は、パワースイッチ回路と、発振回路と、動作制御回路と、演算回路と、ＰＷＭ（Ｐｕｌｓｅ  Ｗｉｄｔｈ  Ｍｏｄｕｌａｔｉｏｎ）制御回路とを含む。パワースイッチ回路は、スイッチング制御信号を用いて、入力電圧とは異なるレベルの出力電圧を生成する。発振回路は、所定の周波数で発振することによって三角波信号を生成する。動作制御回路は、三角波信号に同期した動作制御信号を生成する。演算回路は、動作制御信号に応じて間欠動作し、動作時には出力電圧に基づく帰還電圧と基準電圧とを用いて演算を行い、演算結果を示す演算結果信号を生成する。ＰＷＭ制御回路は、演算結果信号をアナログ制御電圧として用いて、三角波信号をパルス幅変調することによって、スイッチング制御信号を生成する。
【図面の簡単な説明】
【０００９】
【図１】第１の実施形態に係るスイッチング電源回路を例示するブロック図。
【図２】第１の実施形態に係るスイッチング電源回路を例示するブロック図。
【図３】図２のスイッチング電源回路の動作を例示するタイミングチャート。
【図４】第２の実施形態に係るスイッチング電源回路を例示するブロック図。
【図５】図４のスイッチング電源回路の動作を例示するタイミングチャート。
【図６】第３の実施形態に係るスイッチング電源回路を例示するブロック図。
【図７】第３の実施形態に係るスイッチング電源回路を例示するブロック図。
【図８】図７のスイッチング電源回路の動作を例示するタイミングチャート。
【図９】第４の実施形態に係るスイッチング電源回路を例示するブロック図。
【図１０】第５の実施形態に係るスイッチング電源回路を例示するブロック図。
【図１１】第５の実施形態に係るスイッチング電源回路を例示するブロック図。
【図１２】図１１のスイッチング電源回路の動作を例示するタイミングチャート。
【発明を実施するための形態】
【００１０】
以下、図面を参照しながら実施形態の説明が述べられる。なお、以降、説明済みの要素と同一または類似の要素には同一または類似の符号が付され、重複する説明は基本的に省略される。
【００１１】
（第１の実施形態）  
図１に例示されるように、第１の実施形態に係るスイッチング電源回路は、発振回路１００と、パワースイッチ回路１１０と、比較回路１２０と、動作制御回路１３０とを含む。
【００１２】
発振回路１００は、制御端子と出力端子とを備える。発振回路１００の制御端子は、比較回路１２０の出力端子に接続される。発振回路１００の出力端子は、パワースイッチ回路１１０の制御端子および動作制御回路１３０の第１の入力端子に共通に接続される。
【００１３】
発振回路１００は、比較回路１２０から後述される比較結果信号１４を受け取る。比較結果信号１４が第１のレベル（例えばＨｉｇｈレベル）であるならば、発振回路１００は、所定の周波数で発振することによってクロック信号１１を生成し、当該クロック信号１１をパワースイッチ回路１１０および動作制御回路１３０へと出力する。他方、比較結果信号１４が第２のレベル（例えばＬｏｗレベル）であるならば、発振回路１００は動作（クロック信号１１の生成）を停止する。
【００１４】
パワースイッチ回路１１０は、例えば昇圧回路または降圧回路に相当する。パワースイッチ回路１１０は、少なくとも制御端子と出力端子とを備える。パワースイッチ回路１１０の制御端子は、発振回路１００の出力端子に接続される。パワースイッチ回路１１０の出力端子は、比較回路１２０の第１の入力端子に接続される。
【００１５】
パワースイッチ回路１１０は、発振回路１００からクロック信号１１を受け取る。パワースイッチ回路１１０は、内蔵スイッチのＯＮ／ＯＦＦをクロック信号１１に応じて制御することにより、図示されない入力電圧源によって印加される入力電圧を昇圧または降圧し、当該入力電圧とは異なるレベルの出力電圧１２を生成する。パワースイッチ回路１１０は、出力電圧１２を比較回路１２０の第１の入力端子に印加する。なお、パワースイッチ回路１１０は、上記入力電圧源を内蔵していてもよいし、外部の入力電圧源に入力端子を介して接続してもよい。
【００１６】
比較回路１２０は、第１の入力端子と第２の入力端子と制御端子と出力端子とを備える。比較回路１２０の第１の入力端子は、パワースイッチ回路１１０の出力端子に接続され、出力電圧１２が印加される。比較回路１２０の第２の入力端子には、基準電圧１３が印加される。比較回路１２０の制御端子は、動作制御回路１３０の出力端子に接続される。比較回路１２０の出力端子は、発振回路１００の制御端子および動作制御回路１３０の第２の入力端子に共通に接続される。
【００１７】
比較回路１２０は、動作制御回路１３０から動作制御信号１５を受け取る。比較回路１２０は、動作制御信号１５に応じて間欠動作する。動作制御信号１５が第１のレベルであるならば、比較回路１２０は出力電圧１２に基づく帰還電圧と基準電圧１３とを比較する。帰還電圧は、出力電圧１２を分圧した電圧であってもよいし、当該出力電圧１２そのものであってもよい。比較回路１２０は、帰還電圧が基準電圧１３と一致するように、発振回路１００を介してパワースイッチ回路１１０を負帰還制御する。故に、例えば帰還電圧が出力電圧１２のａ／ｂ倍（ａおよびｂは任意の自然数）であるならば、当該出力電圧１２は基準電圧１３のｂ／ａ倍と一致するように負帰還制御される。
【００１８】
比較回路１２０は、帰還電圧が基準電圧１３以上であれば第２のレベルの比較結果信号１４を生成し、そうでなければ第１のレベルの比較結果信号１４を生成する。比較回路１２０は、比較結果信号１４を発振回路１００および動作制御回路１３０へと出力する。なお、動作制御信号１５が第２のレベルであるならば、比較回路１２０は、帰還電圧および基準電圧１３の比較を停止し、最後（すなわち、動作制御信号１５が第１のレベルから第２のレベルに遷移する直前）に生成された比較結果信号１４の出力を継続する。
【００１９】
動作制御回路１３０は、第１の入力端子と第２の入力端子と出力端子とを備える。動作制御回路１３０の第１の入力端子は、発振回路１００の出力端子に接続される。動作制御回路１３０の第２の入力端子は、比較回路１２０の出力端子に接続される。動作制御回路１３０の出力端子は、比較回路１２０の制御端子に接続される。
【００２０】
動作制御回路１３０は、発振回路１００からクロック信号１１を受け取り、比較回路１２０から比較結果信号１４を受け取る。比較結果信号１４が第１のレベルであるならば、動作制御回路１３０は、クロック信号１１に同期した動作制御信号１５を生成し、比較回路１２０へと出力する。前述のように、比較回路１２０は、帰還電圧および基準電圧１３の比較をこの動作制御信号１５に応じて間欠的に行う。動作制御回路１３０は、例えばクロック信号１１を分周することによって動作制御信号１５を生成してもよい。
【００２１】
なお、比較結果信号１４が第２のレベルであるならばクロック信号１１が生成されないので、動作制御回路１３０は、クロック信号１１に同期しない動作制御信号１５を生成し、比較回路１２０へと出力する。この動作制御信号１５は比較結果信号１４が第２のレベルである限りは第１のレベルに設定されるので、クロック信号１１が生成されない期間にも比較回路１２０は帰還電圧および基準電圧１３の比較を継続できる。
【００２２】
本実施形態に係るスイッチング電源回路のさらなる具体例が図２に示される。図２のスイッチング電源回路は、発振回路１００と、パワースイッチ回路１１０と、比較回路１２０と、動作制御回路１３０とを含む。図２のスイッチング電源回路は、後述される負荷１５０に接続される。
【００２３】
図２の発振回路１００は、コンスタントオンタイム制御回路１０１を含む。  
コンスタントオンタイム制御回路１０１は、制御端子および出力端子を備える。コンスタントオンタイム制御回路１０１の制御端子および出力端子は、それぞれ発振回路１００の制御端子および出力端子に接続される。
【００２４】
コンスタントオンタイム制御回路１０１は、制御端子を介して比較結果信号１４（ＶＡ）を受け取る。比較結果信号１４（ＶＡ）が第１のレベルであるならば、コンスタントオンタイム制御回路１０１は、所定の周波数で発振することによってクロック信号１１（ＶＳＷ）を生成し、出力端子を介して当該クロック信号１１（ＶＳＷ）を出力する。このクロック信号１１（ＶＳＷ）は、例えば図３に示されるように、所定のオン期間およびオフ期間を持つパルス信号に相当する。具体的には、コンスタントオンタイム制御回路１０１は、第１のレベルの比較結果信号１４（ＶＡ）を受けると、一定時間に亘るオンパルスをクロック信号１１（ＶＳＷ）として生成して出力する。さらに、コンスタントオンタイム制御回路１０１は、オンパルスの出力後も比較結果信号１４（ＶＡ）が第１のレベルであるならば、オンパルスをクロック信号１１（ＶＳＷ）として再び生成して出力する。他方、比較結果信号１４（ＶＡ）が第２のレベルであるならば、コンスタントオンタイム制御回路１０１は動作（クロック信号１１（ＶＳＷ）の生成）を停止する。
【００２５】
図２のパワースイッチ回路１１０は、昇圧回路に相当し、インダクタ１１１と、スイッチ１１２と、ダイオード１１３と、キャパシタ１１４と、入力電圧源１４０とを含む。なお、説明の便宜のために、以降、パワースイッチ回路１１０は昇圧回路に相当するものとする。
【００２６】
インダクタ１１１は、第１の端子および第２の端子を備える。インダクタ１１１の第１の端子は、入力電圧源１４０の正極端子と接続される。インダクタ１１１の第２の端子は、スイッチ１１２の第１の端子およびダイオード１１３のアノードに共通に接続される。
【００２７】
インダクタ１１１は、スイッチ１１２がＯＮである期間に、当該インダクタ１１１を流れる電流によって磁気エネルギーを蓄積する。他方、インダクタ１１１は、スイッチ１１２がＯＦＦである期間に、蓄積していた磁気エネルギーを電気エネルギーとして放出する。
【００２８】
スイッチ１１２は、第１の端子と第２の端子と制御端子を備える。スイッチ１１２の第１の端子は、インダクタ１１１の第２の端子およびダイオード１１３のアノードに共通に接続される。スイッチ１１２の第２の端子は接地される。スイッチ１１２の制御端子は、パワースイッチ回路１１０の制御端子に接続される。
【００２９】
スイッチ１１２は、クロック信号１１（ＶＳＷ）を制御端子を介して受け取り、当該クロック信号１１（ＶＳＷ）に応じてＯＮ／ＯＦＦ動作する。具体的には、スイッチ１１２は、クロック信号１１（ＶＳＷ）に応じて、インダクタ１１１の第２の端子およびダイオード１１３のアノードとグラウンドとの間を短絡または開放する。
【００３０】
ダイオード１１３は、アノードおよびカソードを備える。ダイオード１１３のアノードは、インダクタ１１１の第２の端子およびスイッチ１１２の第１の端子に共通に接続される。ダイオード１１３のカソードは、キャパシタ１１４の第１の端子に接続される。
【００３１】
ダイオード１１３は、スイッチ１１２がＯＮからＯＦＦに切り替わった後にインダクタ１１１から供給される電流をキャパシタ１１４へと流す。さらに、ダイオード１１３は、キャパシタ１１４から入力電圧源１４０への電流の逆流を防止する。
【００３２】
キャパシタ１１４は、第１の端子および第２の端子を備える。キャパシタ１１４の第１の端子は、パワースイッチ回路１１０の出力端子に接続され、ダイオード１１３のカソードと、比較回路１２０の入力端子と、負荷１５０とに共通に接続される。キャパシタ１１４の第２の端子は接地される。キャパシタ１１４は、スイッチ１１２がＯＮからＯＦＦに切り替わった後にダイオード１１３から供給される電流によって充電される。故に、キャパシタ１１４の第１の端子の電圧（Ｖｏｕｔ）は上昇する。他方、ダイオード１１３からの電流供給が停止すると、負荷１５０を流れる負荷電流によりキャパシタ１１４は放電することになる。故に、キャパシタ１１４の第１の端子の電圧（Ｖｏｕｔ）は下降する。
【００３３】
入力電圧源１４０は、正極端子および負極端子を持つ。入力電圧源１４０の正極端子は、インダクタ１１１の第１の端子に接続される。入力電圧源１４０の負極端子は接地される。入力電圧源１４０は、入力電圧（Ｖｉｎ）を発生し、当該入力電圧（Ｖｉｎ）をインダクタ１１１の第１の端子に印加する。入力電圧源１４０は、例えば電池であって、パワースイッチ回路１１０に内蔵されていてもよいし、パワースイッチ回路１１０の外部に設けられてもよい。
【００３４】
図２の比較回路１２０は、スイッチ１２１と、抵抗器１２２，１２３と、コンパレータ１２４と、スイッチ１２５と、保持回路１２６とを含む。  
スイッチ１２１は、第１の端子と第２の端子と制御端子を備える。スイッチ１２１の第１の端子は、比較回路１２０の第１の入力端子に接続される。スイッチ１２１の第２の端子は、抵抗器１２２の第１の端子に接続される。スイッチ１２１の制御端子は、比較回路１２０の制御端子に接続される。
【００３５】
スイッチ１２１は、制御端子を介して動作制御信号１５（ＶＯＮ）を受け取り、当該動作制御信号１５（ＶＯＮ）に応じてＯＮ／ＯＦＦ動作する。すなわち、スイッチ１２１は、動作制御信号１５（ＶＯＮ）に応じて、比較回路１２０の第１の入力端子と抵抗器１２２の第１の端子との間を短絡または開放する。
【００３６】
具体的には、動作制御信号１５（ＶＯＮ）が第１のレベルであるならば、スイッチ１２１は出力電圧１２（Ｖｏｕｔ）を抵抗器１２２へと供給する。他方、動作制御信号１５（ＶＯＮ）が第２のレベルであるならば、スイッチ１２１は出力電圧１２（Ｖｏｕｔ）の供給を遮断する。
【００３７】
概括すれば、抵抗器１２２および抵抗器１２３は分圧器として機能する。抵抗器１２２は第１の端子および第２の端子を備え、抵抗器１２２の第１の端子はスイッチ１２１の第２の端子に接続され、抵抗器１２２の第２の端子は抵抗器１２３の第１の端子およびコンパレータ１２４の第１の入力端子に共通に接続される。抵抗器１２３は第１の端子および第２の端子を備え、抵抗器１２３の第１の端子は抵抗器１２２の第２の端子およびコンパレータ１２４の第１の入力端子に共通に接続され、抵抗器１２３の第２の端子は接地される。
【００３８】
スイッチ１２１がＯＮであるならば、抵抗器１２２の第１の端子には当該スイッチ１２１を介して出力電圧１２（Ｖｏｕｔ）が印加される。出力電圧１２（Ｖｏｕｔ）は、抵抗器１２２および抵抗器１２３の抵抗値比に従って分圧される。結果的に、抵抗器１２２の第２の端子および抵抗器１２３の第１の端子における電圧が、帰還電圧（ＶＦＢ）としてコンパレータ１２４の第１の入力端子に印加される。例えば、抵抗器１２２の抵抗値がＲ１、抵抗器１２３の抵抗値がＲ２であるならば、ＶＦＢ＝Ｒ２＊ＶＯＵＴ／（Ｒ１＋Ｒ２）が成立する。
【００３９】
コンパレータ１２４は、第１の入力端子と第２の入力端子と出力端子と制御端子とを備える。コンパレータ１２４の第１の入力端子は、抵抗器１２２の第２の端子および抵抗器１２３の第１の端子に共通に接続される。コンパレータ１２４の第２の入力端子には、基準電圧１３（ＶＲＥＦ）が印加される。コンパレータ１２４の出力端子は、スイッチ１２５の第１の端子に接続される。コンパレータ１２４の制御端子は、比較回路１２０の制御端子に接続される。
【００４０】
コンパレータ１２４は、第１の入力端子に印加される帰還電圧（ＶＦＢ）と第２の入力端子に印加される基準電圧１３（ＶＲＥＦ）とを比較する。帰還電圧（ＶＦＢ）が基準電圧１３（ＶＲＥＦ）以上であるならば、コンパレータ１２４は第２のレベルの比較結果信号１４を出力端子を介して出力する。他方、帰還電圧（ＶＦＢ）が基準電圧１３（ＶＲＥＦ）未満であるならば、コンパレータ１２４は第１のレベルの比較結果信号１４を出力端子を介して出力する。
【００４１】
コンパレータ１２４は、制御端子を介して動作制御信号１５（ＶＯＮ）を受け取る。動作制御信号１５（ＶＯＮ）が第１のレベルであるならば、コンパレータ１２４は前述の動作（すなわち、帰還電圧（ＶＦＢ）および基準電圧１３（ＶＲＥＦ）の比較）を行う。他方、動作制御信号１５（ＶＯＮ）が第２のレベルであるならば、コンパレータ１２４は前述の動作を停止する。すなわち、コンパレータ１２４は、動作制御信号１５（ＶＯＮ）に応じて間欠動作する。
【００４２】
スイッチ１２５は、第１の端子と第２の端子と制御端子を備える。スイッチ１２５の第１の端子は、コンパレータ１２４の出力端子に接続される。スイッチ１２５の第２の端子は、保持回路１２６の入力端子に接続される。スイッチ１２５の制御端子は、比較回路１２０の制御端子に接続される。
【００４３】
スイッチ１２５は、制御端子を介して動作制御信号１５（ＶＯＮ）を受け取り、当該動作制御信号１５（ＶＯＮ）に応じてＯＮ／ＯＦＦ動作する。すなわち、スイッチ１２５は、動作制御信号１５（ＶＯＮ）に応じて、コンパレータ１２４の出力端子と保持回路１２６の入力端子との間を短絡または開放する。
【００４４】
具体的には、動作制御信号１５（ＶＯＮ）が第１のレベルであるならば、スイッチ１２５はコンパレータ１２４からの比較結果信号１４（ＶＡ）を保持回路１２６へと供給する。他方、動作制御信号１５（ＶＯＮ）が第２のレベルであるならば、スイッチ１２５はコンパレータ１２４からの比較結果信号１４（ＶＡ）の供給を遮断する。
【００４５】
保持回路１２６は、入力信号を保持し、保持している信号を出力する。保持回路１２６は、入力端子および出力端子を備える。保持回路１２６の入力端子は、スイッチ１２５の第２の端子に接続される。保持回路１２６の出力端子は、比較回路１２０の出力端子に接続される。保持回路１２６は、例えばラッチ回路である。
【００４６】
保持回路１２６は、スイッチ１２５のＯＮ期間に、入力端子を介して比較結果信号１４（ＶＡ）を受け取り、これを保持する。そして、保持回路１２６は、保持している比較結果信号１４（ＶＡ）を出力端子を介して出力する。なお、スイッチ１２５のＯＦＦ期間には、コンパレータ１２４は比較結果信号１４（ＶＡ）を生成しないが、保持回路１２６はスイッチ１２５がＯＦＦとなる直前（すなわち、動作制御信号１５（ＶＡ）が第１のレベルから第２のレベルに遷移する直前）に入力した比較結果信号１４（ＶＡ）を保持している。故に、保持回路１２６は、スイッチ１２５のＯＦＦ期間であっても比較結果信号１４（ＶＡ）を出力できる。
【００４７】
図２の動作制御回路１３０は、分周回路１３１と論理回路１３２とを含む。  
分周回路１３１は、入力端子と出力端子とを含む。分周回路１３１の入力端子は、動作制御回路１３０の第１の入力端子に接続される。分周回路１３１の出力端子は、論理回路１３２の第１の入力端子に接続される。
【００４８】
分周回路１３１は、入力端子を介してクロック信号１１（ＶＳＷ）を受け取る。分周回路１３１は、クロック信号１１（ＶＳＷ）を分周することによって分周信号を生成する。分周回路１３１は、出力端子を介して分周信号を出力する。分周回路１３１によって用いられる分周比が大きいほど、比較回路１２０の動作頻度は低くなる。なお、分周比は１であってもよく、この場合に分周回路１３１は省略可能である。
【００４９】
論理回路１３２は、第１の入力端子と第２の入力端子と出力端子とを備える。論理回路１３２の第１の入力端子は、分周回路１３１の出力端子に接続される。論理回路１３２の第２の入力端子は、比較回路１２０の出力端子に接続される。論理回路１３２の出力端子は、動作制御回路１３０の出力端子に接続される。
【００５０】
論理回路１３２は、第１の入力端子を介して分周信号を受け取り、第２の入力端子を介して比較結果信号１４（ＶＡ）を受け取る。論理回路１３２は、分周信号の論理反転値と比較結果信号１４（ＶＡ）との論理積の論理反転値を演算することによって動作制御信号１５（ＶＯＮ）を生成する。論理回路１３２は、出力端子を介して動作制御信号１５（ＶＯＮ）を出力する。
【００５１】
すなわち、比較結果信号１４（ＶＡ）が第１のレベルであるならば、動作制御信号１５（ＶＯＮ）は分周信号に相当する。他方、比較結果信号１４（ＶＡ）が第２のレベルであるならば、動作制御信号１５（ＶＯＮ）は分周信号に関わらず第１のレベルを持つ信号に相当する。
【００５２】
図２の負荷１５０は、任意の負荷である。負荷１５０は、パワースイッチ回路１１０の出力端子に接続される。例えば、負荷１５０は、二次電池であってもよいし、電子機器であってもよい。
【００５３】
図２のスイッチング電源回路は、図３に例示されるように動作する。図３において、ＩＬＯＡＤは負荷１５０を流れる負荷電流を表す。図３の例では、時刻ｔ１までは帰還電圧（ＶＦＢ）が基準電圧１３（ＶＲＥＦ）未満の状態であるので、比較回路１２０は、動作時にはＨｉｇｈレベルの比較結果信号１４（ＶＡ）を生成し続け、動作時および動作停止時に関わらずＨｉｇｈレベルの比較結果信号１４（ＶＡ）を出力し続ける。
【００５４】
そして、発振回路１００は、Ｈｉｇｈレベルの比較結果信号１４（ＶＡ）に応じて、クロック信号１１（ＶＳＷ）を生成し続ける。パワースイッチ回路１１０は、クロック信号１１（ＶＳＷ）を用いて出力電圧１２（Ｖｏｕｔ）を上昇させる。他方、比較回路１２０は、動作制御信号１５（ＶＯＮ）としてのクロック信号１１（ＶＳＷ）の分周信号（分周比は３）に応じて間欠動作する。
【００５５】
時刻ｔ１に、帰還電圧（ＶＦＢ）が基準電圧１３（ＶＲＥＦ）に一致する。しかしながら、時刻ｔ１では、動作制御信号１５（ＶＯＮ）がＬｏｗレベルであるので、比較回路１２０は比較動作を停止しており、最後に生成したＨｉｇｈレベルの比較結果信号１４（ＶＡ）を出力し続ける。
【００５６】
時刻ｔ２に、動作制御信号１５（ＶＯＮ）がＨｉｇｈレベルとなり、比較回路１２０は比較動作を再開する。比較回路１２０は、帰還電圧（ＶＦＢ）が基準電圧１３（ＶＲＥＦ）以上であることを検出し、Ｌｏｗレベルの比較結果信号１４（ＶＡ）を生成して出力する。
【００５７】
Ｌｏｗレベルの比較結果信号１４（ＶＡ）に応じて、動作制御回路１３０はＨｉｇｈレベルの動作制御信号１５（ＶＯＮ）を出力する。他方、Ｌｏｗレベルの比較結果信号１４（ＶＡ）に応じて、発振回路１００は動作を停止する。すなわち、比較結果信号１４（ＶＡ）がＬｏｗレベルである限り、比較回路１２０は比較動作を継続し、発振回路１００は動作を停止し続ける。
【００５８】
時刻ｔ３から時刻ｔ５まで負荷１５０に負荷電流（ＩＬＯＡＤ）が流れることにより、出力電圧１２（Ｖｏｕｔ）は下降し、これに伴って帰還電圧（ＶＦＢ）も下降する。
【００５９】
時刻ｔ４には、帰還電圧（ＶＦＢ）が基準電圧１３（ＶＲＥＦ）に一致する。時刻ｔ４では、動作制御信号１５（ＶＯＮ）がＨｉｇｈレベルであるので、比較回路１２０は比較動作をちょうど行っている。故に、比較回路１２０は、帰還電圧（ＶＦＢ）が基準電圧１３（ＶＲＥＦ）未満であることを即座に検出し、Ｈｉｇｈレベルの比較結果信号１４（ＶＡ）を生成して出力する。
【００６０】
Ｈｉｇｈレベルの比較結果信号１４（ＶＡ）に応じて、発振回路１００は動作を再開し、これに伴いパワースイッチ回路１１０も動作を再開する。故に、帰還電圧（ＶＦＢ）は上昇に転じる。他方、比較回路１２０は、動作制御信号（ＶＯＮ）としてのクロック信号１１（ＶＳＷ）の分周信号（分周比は３）に応じて間欠動作する。
【００６１】
以上説明したように、第１の実施形態に係るスイッチング電源回路は、パワースイッチ回路の動作時には、当該パワースイッチ回路の駆動に用いられるクロック信号に同期した動作制御信号を生成し、比較回路を間欠動作させる。他方、このスイッチング電源回路は、パワースイッチ回路の動作停止時には、上記クロック信号に同期しない動作制御信号を生成し、比較回路を定常的に動作させる。従って、このスイッチング電源回路によれば、パワースイッチ回路の動作時には、比較回路を間欠動作させることにより消費電力を削減することができる。なお、このスイッチング電源回路は、パワースイッチ回路の動作時には、当該パワースイッチ回路の駆動信号源を用いて比較回路を間欠動作させるので、新たな信号源の追加を必要としない。
【００６２】
（第２の実施形態）  
図４に例示されるように、第２の実施形態に係るスイッチング電源回路は、発振回路１００と、パワースイッチ回路１１０と、比較回路１２０と、動作制御回路２３０とを含む。図４のスイッチング電源回路は負荷１５０に接続される。
【００６３】
図４の発振回路１００は、クロック信号１１を動作制御回路２３０へと出力する点で図２の発振回路１００とは異なる。図４のパワースイッチ回路１１０および負荷１５０は、図２のパワースイッチ回路１１０および負荷１５０とそれぞれ同一または類似であってよい。図４の比較回路１２０は、動作制御回路２３０から動作制御信号２５を受け取る点で図２の比較回路１２０とは異なる。
【００６４】
動作制御回路２３０は、第１の入力端子と第２の入力端子と出力端子とを備える。動作制御回路２３０の第１の入力端子は、発振回路１００の出力端子に接続される。動作制御回路２３０の第２の出力端子は、比較回路１２０の出力端子に接続される。動作制御回路２３０の出力端子は、比較回路１２０の制御端子に接続される。
【００６５】
動作制御回路２３０は、発振回路１００からクロック信号１１（ＶＳＷ）を受け取り、比較回路１２０から比較結果信号１４（ＶＡ）を受け取る。比較結果信号１４（ＶＡ）が第１のレベルであるならば、動作制御回路２３０は、クロック信号１１に同期した動作制御信号２５（ＶＯＮ）を生成し、比較回路１２０へと出力する。比較回路１２０は、帰還電圧（ＶＦＢ）および基準電圧１３（ＶＲＥＦ）の比較をこの動作制御信号２５（ＶＯＮ）に応じて間欠的に行う。動作制御回路２３０は、例えばクロック信号１１を分周することによって動作制御信号２５（ＶＯＮ）を生成してもよい。
【００６６】
なお、比較結果信号１４（ＶＡ）が第２のレベルであるならばクロック信号１１（ＶＳＷ）が生成されないので、動作制御回路２３０は、クロック信号１１（ＶＳＷ）に同期しない動作制御信号２５（ＶＯＮ）を内蔵の信号源によって生成し、比較回路１２０へと出力する。この動作制御信号２５（ＶＯＮ）は、比較結果信号１４（ＶＡ）が第２のレベルである限りは第１のレベルと第２のレベルとの間を周期的に遷移する。故に、クロック信号１１（ＶＳＷ）が生成されない期間であっても、比較回路１２０は帰還電圧および基準電圧１３の比較動作を間欠的に行うことができる。
【００６７】
動作制御回路２３０は、分周回路２３１と、セレクタ２３２と、発振回路２３３とを含む。  
分周回路２３１は、入力端子と出力端子とを備える。分周回路２３１の入力端子は、動作制御回路２３０の第１の入力端子に接続される。分周回路２３１の出力端子は、セレクタ２３２の第１の入力端子に接続される。
【００６８】
分周回路２３１は、入力端子を介してクロック信号１１（ＶＳＷ）を受け取る。分周回路２３１は、クロック信号１１（ＶＳＷ）を分周することによって分周信号を生成する。分周回路２３１は、出力端子を介して分周信号を出力する。分周回路２３１によって用いられる分周比が大きいほど、比較結果信号１４（ＶＡ）が第１のレベルである期間における比較回路１２０の動作頻度は低くなる。なお、分周比は１であってもよく、この場合に分周回路２３１は省略可能である。
【００６９】
セレクタ２３２は、第１の入力端子と第２の入力端子と出力端子と制御端子とを備える。セレクタ２３２の第１の入力端子は、分周回路２３１の出力端子に接続される。セレクタ２３２の第２の入力端子は、発振回路２３３の出力端子に接続される。セレクタ２３２の出力端子は、動作制御回路２３０の出力端子に接続される。セレクタ２３２の制御端子は、動作制御回路２３０の第２の入力端子に接続される
セレクタ２３２は、第１の入力端子を介して分周信号を受け取り、第２の入力端子を介して後述される発振信号を受け取り、制御端子を介して比較結果信号１４（ＶＡ）を受け取る。セレクタ２３２は、比較結果信号１４（ＶＡ）に応じて、分周信号および発振信号のいずれか一方を選択し、選択した信号を動作制御信号２５（ＶＯＮ）として出力端子へ導く。
【００７０】
具体的には、比較結果信号１４（ＶＡ）が第１のレベルであるならば、セレクタ２３２は分周信号を選択する。他方、比較結果信号１４（ＶＡ）が第２のレベルであるならば、セレクタ２３２は発振信号を選択する。すなわち、比較結果信号１４（ＶＡ）が第１のレベルであるならば、動作制御信号２５（ＶＯＮ）は分周信号に相当する。他方、比較結果信号１４（ＶＡ）が第２のレベルであるならば、動作制御信号２５（ＶＯＮ）は発振信号に相当する。
【００７１】
発振回路２３３は、制御端子と出力端子とを備える。発振回路２３３の制御端子は、動作制御回路２３０の第２の入力端子に接続される。発振回路２３３の出力端子は、セレクタ２３２の第２の入力端子に接続される。
【００７２】
発振回路２３３は、制御端子を介して比較結果信号１４（ＶＡ）を受け取る。比較結果信号１４（ＶＡ）が第２のレベルであるならば、発振回路２３３は、所定の周波数で発振することによって発振信号を生成し、当該発振信号をセレクタ２３２へと出力する。この発振信号は、例えば、所定のオン期間およびオフ期間を持つパルス信号に相当する。他方、比較結果信号１４（ＶＡ）が第１のレベルであるならば、発振回路２３３は動作（発振信号の生成）を停止する。発振回路２３３は、例えばコンスタントオンタイム制御回路であってもよい。なお、発振回路２３３は、発振回路１００との区別のために内部発振回路と呼ぶこともできる。
【００７３】
図４のスイッチング電源回路は、図５に例示されるように動作する。図５において、ＩＬＯＡＤは負荷１５０を流れる負荷電流を表す。図５の例では、時刻ｔ１までは帰還電圧（ＶＦＢ）が基準電圧１３（ＶＲＥＦ）未満の状態であるので、比較回路１２０は、動作時にはＨｉｇｈレベルの比較結果信号１４（ＶＡ）を生成し続け、動作時および動作停止時に関わらずＨｉｇｈレベルの比較結果信号１４（ＶＡ）を出力し続ける。
【００７４】
そして、発振回路１００は、Ｈｉｇｈレベルの比較結果信号１４（ＶＡ）に応じて、クロック信号１１（ＶＳＷ）を生成し続ける。パワースイッチ回路１１０は、クロック信号１１（ＶＳＷ）を用いて出力電圧１２（Ｖｏｕｔ）を上昇させる。他方、比較回路１２０は、動作制御信号２５（ＶＯＮ）としてのクロック信号１１（ＶＳＷ）の分周信号（分周比は３）に応じて間欠動作する。
【００７５】
時刻ｔ１に、帰還電圧（ＶＦＢ）が基準電圧１３（ＶＲＥＦ）に一致する。しかしながら、時刻ｔ１では、動作制御信号２５（ＶＯＮ）がＬｏｗレベルであるので、比較回路１２０は比較動作を停止しており、最後に生成したＨｉｇｈレベルの比較結果信号１４（ＶＡ）を出力し続ける。
【００７６】
時刻ｔ２に、動作制御信号２５（ＶＯＮ）がＨｉｇｈレベルとなり、比較回路１２０は比較動作を再開する。比較回路１２０は、帰還電圧（ＶＦＢ）が基準電圧１３（ＶＲＥＦ）以上であることを検出し、Ｌｏｗレベルの比較結果信号１４（ＶＡ）を生成して出力する。
【００７７】
Ｌｏｗレベルの比較結果信号１４（ＶＡ）に応じて、動作制御回路２３０は発振回路２３３によって生成された発振信号を動作制御信号２５（ＶＯＮ）として出力する。他方、Ｌｏｗレベルの比較結果信号１４（ＶＡ）に応じて、発振回路１００は動作を停止する。すなわち、比較結果信号１４（ＶＡ）がＬｏｗレベルである限り、比較回路１２０は動作制御信号２５（ＶＯＮ）としての発振信号に応じて間欠動作し、発振回路１００は動作を停止し続ける。
【００７８】
時刻ｔ３から時刻ｔ４まで負荷１５０に負荷電流（ＩＬＯＡＤ）が流れることにより、出力電圧１２（Ｖｏｕｔ）は下降し、これに伴って帰還電圧（ＶＦＢ）も下降する。
【００７９】
時刻ｔ３から時刻ｔ４までの間に、帰還電圧（ＶＦＢ）が基準電圧１３（ＶＲＥＦ）を下回る。しかしながら、時刻ｔ５までは、動作制御信号２５（ＶＯＮ）がＬｏｗレベルであるので、比較回路１２０は比較動作を停止しており、最後に生成したＬｏｗレベルの比較結果信号１４（ＶＡ）を出力し続ける。
【００８０】
時刻ｔ５に、動作制御信号２５（ＶＯＮ）がＨｉｇｈレベルとなり、比較回路１２０は比較動作を再開する。比較回路１２０は、帰還電圧（ＶＦＢ）が基準電圧１３（ＶＲＥＦ）未満であることを検出し、Ｈｉｇｈレベルの比較結果信号１４（ＶＡ）を生成して出力する。
【００８１】
Ｈｉｇｈレベルの比較結果信号１４（ＶＡ）に応じて、発振回路１００は動作を再開し、これに伴いパワースイッチ回路１１０も動作を再開する。故に、帰還電圧（ＶＦＢ）は上昇に転じる。他方、比較回路１２０は、動作制御信号２５（ＶＯＮ）としてのクロック信号１１（ＶＳＷ）の分周信号（分周比は３）に応じて間欠動作する。
【００８２】
以上説明したように、第２の実施形態に係るスイッチング電源回路は、パワースイッチ回路の動作時には、当該パワースイッチ回路の駆動に用いられるクロック信号に同期した動作制御信号を生成し、比較回路を間欠動作させる。他方、このスイッチング電源回路は、パワースイッチ回路の動作停止時には、上記クロック信号とは異なる発振信号を生成し、比較回路を間欠動作させる。従って、このスイッチング電源回路によれば、パワースイッチ回路の動作状態に関わらず、比較回路を間欠動作させることにより消費電力を削減することができる。
【００８３】
（第３の実施形態）  
図６に例示されるように、第３の実施形態に係るスイッチング電源回路は、発振回路３００と、パワースイッチ回路１１０と、比較回路１２０と、動作制御回路３３０と、スイッチ３６０を含む。
【００８４】
図６のパワースイッチ回路１１０は、スイッチ３６０を介してクロック信号３１を受け取る点で図１のパワースイッチ回路１１０とは異なる。図６の比較回路１２０は、動作制御回路３３０から動作制御信号３５を受け取る点、ならびに、スイッチ３６０へと比較結果信号１４を出力する点で、図１の比較回路１２０とは異なる。
【００８５】
発振回路３００は出力端子を備える。発振回路３００の出力端子は、動作制御回路３３０の入力端子およびスイッチ３６０の入力端子に接続される。発振回路３００は、所定の周波数で発振することによってクロック信号３１を生成し、当該クロック信号３１を動作制御回路３３０およびスイッチ３６０へと出力する。
【００８６】
動作制御回路３３０は、入力端子と出力端子とを備える。動作制御回路３３０の入力端子は、発振回路３００の出力端子に接続される。動作制御回路３３０の出力端子は、比較回路１２０の制御端子に接続される。
【００８７】
動作制御回路３３０は、発振回路３００からクロック信号１１を受け取る。動作制御回路３３０は、クロック信号１１に同期した動作制御信号３５を生成し、比較回路１２０へと出力する。比較回路１２０は、帰還電圧および基準電圧１３の比較をこの動作制御信号３５に応じて間欠的に行う。動作制御回路３３０は、例えばクロック信号１１を分周することによって動作制御信号３５を生成してもよい。
【００８８】
なお、前述の発振回路１００とは異なり、発振回路３００は、比較結果信号１４が第２のレベルである場合であってもクロック信号１１を生成する。故に、動作制御回路３３０は比較結果信号１４が第２のレベルである場合であってもクロック信号１１に同期した動作制御信号３５を生成できる。
【００８９】
スイッチ３６０は、入力端子と出力端子と制御端子とを備える。スイッチ３６０の入力端子は、発振回路３００の出力端子に接続される。スイッチ３６０の出力端子は、パワースイッチ回路１１０の制御端子に接続される。スイッチ３６０の制御端子は、比較回路１２０の出力端子に接続される。
【００９０】
スイッチ３６０は、動作制御回路３３０からの動作制御信号３５を受け取り、当該動作制御信号３５に応じてＯＮ／ＯＦＦ動作する。すなわち、スイッチ３６０は、動作制御信号３５に応じて、発振回路３００の出力端子とパワースイッチ回路１１０の制御端子との間を短絡または開放する。
【００９１】
具体的には、動作制御信号３５が第１のレベルであるならば、スイッチ３６０は発振回路３００からのクロック信号３１をパワースイッチ回路１１０へと供給する。他方、動作制御信号３５が第２のレベルであるならば、スイッチ３６０は発振回路３００からのクロック信号３１の供給を遮断する。
【００９２】
本実施形態に係るスイッチング電源回路のさらなる具体例が図７に示される。図７のスイッチング電源回路は、発振回路３００と、パワースイッチ回路１１０と、比較回路１２０と、動作制御回路３３０と、スイッチ３６０とを含む。図７のスイッチング電源回路は、負荷１５０に接続される。
【００９３】
図７のパワースイッチ回路１１０は、その制御端子がスイッチ３６０の出力端子に接続される点で図２のパワースイッチ回路１１０とは異なる。図７の比較回路１２０は、その出力端子がスイッチ３６０の制御端子に接続される点、ならびに、その制御端子が動作制御回路３３０の出力端子に接続される点で、図２の比較回路１２０とは異なる。
【００９４】
図７の発振回路３００は、コンスタントオンタイム制御回路３０１を含む。  
コンスタントオンタイム制御回路３０１は出力端子を備える。コンスタントオンタイム制御回路３０１の出力端子は、発振回路３００の出力端子に接続される。コンスタントオンタイム制御回路３０１は、所定の周波数で発振することによってクロック信号３１（ＶＳＷ）を生成し、出力端子を介して当該クロック信号３１（ＶＳＷ）を出力する。このクロック信号３１（ＶＳＷ）は、例えば、所定のオン期間およびオフ期間を持つパルス信号に相当する。具体的には、コンスタントオンタイム制御回路３０１は、クロック信号３１（ＶＳＷ）として、一定時間に亘るオンパルスを繰り返し生成して出力する。
【００９５】
図７の動作制御回路３３０は、分周回路３３１を含む。  
分周回路３３１は、入力端子と出力端子とを含む。分周回路３３１の入力端子は、動作制御回路３３０の入力端子に接続される。分周回路３３１の出力端子は、動作制御回路３３０の出力端子に接続される。
【００９６】
分周回路３３１は、入力端子を介してクロック信号３１（ＶＳＷ）を受け取る。分周回路３３１は、クロック信号３１（ＶＳＷ）を分周することによって分周信号を生成する。分周回路３３１は、分周信号を動作制御信号３５（ＶＯＮ）として出力端子を介して出力する。すなわち、動作制御信号３５（ＶＯＮ）は定常的に分周信号に相当する。分周回路３３１によって用いられる分周比が大きいほど、比較回路１２０の動作頻度は低くなる。なお、分周比は１であってもよく、この場合に分周回路３３１は省略可能である。
【００９７】
図７のスイッチング電源回路は、図８に例示されるように動作する。図８において、ＩＬＯＡＤは負荷１５０を流れる負荷電流を表す。ＶＳＷは、スイッチ３６０の出力端子（または、パワースイッチ回路１１０の制御端子）における観測波形を表す。すなわち、比較結果信号（ＶＡ）がＬｏｗレベルである期間では、クロック信号３１（ＶＳＷ）はスイッチ３６０を通過できないので、図８において描かれるＶＳＷの波形は定常的にＬｏｗレベルとなる。
【００９８】
図８の例では、時刻ｔ１までは帰還電圧（ＶＦＢ）が基準電圧１３（ＶＲＥＦ）未満の状態であるので、比較回路１２０は、動作時にはＨｉｇｈレベルの比較結果信号１４（ＶＡ）を生成し続け、動作時および動作停止時に関わらずＨｉｇｈレベルの比較結果信号１４（ＶＡ）を出力し続ける。
【００９９】
そして、スイッチ３６０は、Ｈｉｇｈレベルの比較結果信号１４（ＶＡ）に応じて、クロック信号３１（ＶＳＷ）をパワースイッチ回路１１０へと供給し続ける。パワースイッチ回路１１０は、クロック信号３１（ＶＳＷ）を用いて出力電圧１２（Ｖｏｕｔ）を上昇させる。他方、比較回路１２０は、動作制御信号３５（ＶＯＮ）としてのクロック信号３１（ＶＳＷ）の分周信号（分周比は３）に応じて間欠動作する。
【０１００】
時刻ｔ１に、帰還電圧（ＶＦＢ）が基準電圧１３（ＶＲＥＦ）に一致する。しかしながら、時刻ｔ１では、動作制御信号３５（ＶＯＮ）がＬｏｗレベルであるので、比較回路１２０は比較動作を停止しており、最後に生成したＨｉｇｈレベルの比較結果信号１４（ＶＡ）を出力し続ける。
【０１０１】
時刻ｔ２に、動作制御信号３５（ＶＯＮ）がＨｉｇｈレベルとなり、比較回路１２０は比較動作を再開する。比較回路１２０は、帰還電圧（ＶＦＢ）が基準電圧１３（ＶＲＥＦ）以上であることを検出し、Ｌｏｗレベルの比較結果信号１４（ＶＡ）を生成して出力する。
【０１０２】
Ｌｏｗレベルの比較結果信号１４（ＶＡ）に応じて、スイッチ３６０は、クロック信号３１（ＶＳＷ）の供給を遮断する。他方、比較回路１２０は、動作制御信号３５（ＶＯＮ）としてのクロック信号３１（ＶＳＷ）の分周信号に応じて引き続き間欠動作する。すなわち、比較結果信号１４（ＶＡ）がＬｏｗレベルである限り、パワースイッチ回路１１０は動作を停止し続け、比較回路１２０は間欠動作し続ける。
【０１０３】
時刻ｔ３から時刻ｔ４まで負荷１５０に負荷電流（ＩＬＯＡＤ）が流れることにより、出力電圧１２（Ｖｏｕｔ）は下降し、これに伴って帰還電圧（ＶＦＢ）も下降する。
【０１０４】
時刻ｔ３から時刻ｔ４までの間に、帰還電圧（ＶＦＢ）が基準電圧１３（ＶＲＥＦ）を下回る。しかしながら、時刻ｔ５までは、動作制御信号３５（ＶＯＮ）がＬｏｗレベルであるので、比較回路１２０は比較動作を停止しており、最後に生成したＬｏｗレベルの比較結果信号１４（ＶＡ）を出力し続ける。
【０１０５】
時刻ｔ５に、動作制御信号３５（ＶＯＮ）がＨｉｇｈレベルとなり、比較回路１２０は比較動作を再開する。比較回路１２０は、帰還電圧（ＶＦＢ）が基準電圧１３（ＶＲＥＦ）未満であることを検出し、Ｈｉｇｈレベルの比較結果信号１４（ＶＡ）を生成して出力する。
【０１０６】
Ｈｉｇｈレベルの比較結果信号１４（ＶＡ）に応じて、スイッチ３６０はクロック信号３１（ＶＳＷ）の供給を再開し、これに伴いパワースイッチ回路１１０も動作を再開する。故に、帰還電圧（ＶＦＢ）は上昇に転じる。他方、比較回路１２０は、動作制御信号３５（ＶＯＮ）としてのクロック信号３１（ＶＳＷ）の分周信号（分周比は３）に応じて引き続き間欠動作する。
【０１０７】
以上説明したように、第３の実施形態に係るスイッチング電源回路は、パワースイッチ回路の動作状態に関わらず、当該パワースイッチ回路の駆動に用いられるクロック信号に同期した動作制御信号を生成し、比較回路を間欠動作させる。従って、このスイッチング電源回路によれば、パワースイッチ回路の動作状態に関わらず、比較回路を間欠動作させることにより消費電力を削減することができる。なお、このスイッチング電源回路は、パワースイッチ回路の駆動信号源を定常的に用いて比較回路を間欠動作させるので、新たな信号源の追加を必要としない。
【０１０８】
（第４の実施形態）  
図９に例示されるように、第４の実施形態に係るスイッチング電源回路は、発振回路４００と、パワースイッチ回路１１０と、比較回路１２０と、動作制御回路３３０と、スイッチ３６０を含む。
【０１０９】
図９のパワースイッチ回路１１０は、スイッチ３６０を介してクロック信号４１を受け取る点で図６のパワースイッチ回路１１０とは異なる。図９の比較回路１２０は、発振回路４００へと比較結果信号１４を出力する点で図６の比較回路１２０とは異なる。図９の動作制御回路３３０は、発振回路４００からクロック信号４１を受け取る点で図６の動作制御回路３３０とは異なる。図９のスイッチ３６０は、発振回路４００からクロック信号４１を受け取る点で図６のスイッチ３６０とは異なる。
【０１１０】
発振回路４００は、制御端子と出力端子とを備える。発振回路４００の制御端子は、比較回路１２０の出力端子に接続される。発振回路４００の出力端子は、動作制御回路３３０の入力端子およびスイッチ３６０の入力端子に共通に接続される。
【０１１１】
発振回路４００は、比較回路１２０から後述される比較結果信号１４を受け取る。発振回路４００は、所定の周波数で発振することによってクロック信号４１を生成し、当該クロック信号４１を動作制御回路３３０およびスイッチ３６０へと出力する。
【０１１２】
なお、発振回路４００は、比較結果信号１４が第１のレベルおよび第２のレベルのいずれであるかに依存して、クロック信号４１の特性を切り替える。すなわち、比較結果信号１４が第１のレベルにある場合に生成されるクロック信号４１は、当該比較結果信号１４が第２のレベルにある場合に生成されるクロック信号４１とは異なる特性を持つ。例えば、２種類のクロック信号４１は、周波数において異なっていてもよいし、デューティー比（すなわち、１周期に占めるＨｉｇｈレベル期間の割合）において異なっていてもよい。
【０１１３】
例えば、比較結果信号１４が第２のレベルにある場合に生成されるクロック信号４１の周波数またはデューティー比を高く設計すれば、動作制御信号３５の周波数またはデューティー比も高くなるので、比較回路１２０の各動作停止期間は短くなる。故に、比較回路１２０は、パワースイッチ回路１１０の動作を再開させるべき状況（例えば、帰還電圧が基準電圧１３未満であること）を早期に検出できる。他方、比較結果信号１４が第２のレベルにある場合に生成されるクロック信号４１の周波数またはデューティー比を低く設計すれば、動作制御信号３５の周波数またはデューティー比も低くなるので、比較回路１２０の各動作停止期間は長くなる。故に、比較回路１２０における消費電力をより効果的に削減できる。
【０１１４】
以上説明したように、第４の実施形態に係るスイッチング電源回路は、パワースイッチ回路の動作状態に関わらず、当該パワースイッチ回路の駆動に用いられるクロック信号に同期した動作制御信号を生成し、比較回路を間欠動作させる。従って、このスイッチング電源回路によれば、パワースイッチ回路の動作状態に関わらず、比較回路を間欠動作させることにより消費電力を削減することができる。なお、このスイッチング電源回路は、パワースイッチ回路の駆動信号源を用いて比較回路を間欠動作させるので、新たな信号源の追加を必要としない。さらに、このスイッチング電源回路は、パワースイッチ回路の動作時と動作停止時とでクロック信号の特性を切り替えるので、これに伴って動作制御信号の特性も切り替わる。すなわち、このスイッチング電源回路によれば、パワースイッチ回路の動作停止時における比較回路の挙動をより自由に設計することが可能である。
【０１１５】
（第５の実施形態）  
図１０に例示されるように、第５の実施形態に係るスイッチング電源回路は、発振回路５００と、パワースイッチ回路１１０と、演算回路５２０と、動作制御回路５３０と、ＰＷＭ（Ｐｕｌｓｅ  Ｗｉｄｔｈ  Ｍｏｄｕｌａｔｉｏｎ）制御回路を含む。図１０のパワースイッチ回路１１０は、ＰＷＭ制御回路５７０からスイッチング制御信号（これは、前述のクロック信号１１に相当する）を受け取る点、ならびに、出力電圧１２を演算回路５２０へと供給する点で、図１のパワースイッチ回路１１０とは異なる。
【０１１６】
発振回路５００は出力端子を備える。発振回路５００の出力端子は、動作制御回路５３０の入力端子およびＰＷＭ制御回路５７０の入力端子に接続される。発振回路５００は、所定の周波数で発振することによって三角波信号５１を生成し、当該三角波信号５１を動作制御回路５３０およびＰＷＭ制御回路５７０へと出力する。三角波信号５１の波形は、例えばノコギリ波に相当してもよいし、その他の三角波に相当してもよい。
【０１１７】
演算回路５２０は、第１の入力端子と第２の入力端子と制御端子と出力端子とを備える。演算回路５２０の第１の入力端子は、パワースイッチ回路１１０の出力端子に接続され、出力電圧１２が印加される。演算回路５２０の第２の入力端子には、基準電圧１３が印加される。演算回路５２０の制御端子は、動作制御回路５３０の出力端子に接続される。演算回路５２０の出力端子は、ＰＷＭ制御回路５７０の制御端子に接続される。
【０１１８】
演算回路５２０は、動作制御回路５３０から動作制御信号５５を受け取る。演算回路５２０は、動作制御信号５５に応じて間欠動作する。動作制御信号５５が第１のレベルであるならば、演算回路５２０は出力電圧１２に基づく帰還電圧と基準電圧１３とを用いて演算を行い、演算結果を示す演算結果信号５４を生成する。演算回路５２０は、帰還電圧が基準電圧１３と一致するように、ＰＷＭ制御回路５７０を介してパワースイッチ回路１１０を負帰還制御する。故に、例えば帰還電圧が出力電圧１２のａ／ｂ倍であるならば、当該出力電圧１２は基準電圧１３のｂ／ａ倍と一致するように負帰還制御される。
【０１１９】
演算回路５２０は、例えば、帰還電圧および基準電圧１３の間の差動電圧を演算し、当該差動電圧を反転増幅した電圧を持つ演算結果信号５４を生成する。或いは、演算回路５２０は、位相補償演算、ＰＩＤ（Ｐｒｏｐｏｒｔｉｏｎａｌ，Ｉｎｔｅｇｒａｔｅｄ，Ｄｅｒｉｖａｔｉｖｅ）演算などを行ってもよい。演算回路５２０は、演算結果信号５４をＰＷＭ制御回路５７０へと出力する。
【０１２０】
なお、動作制御信号５５が第２のレベルであるならば、演算回路５２０は、動作（すなわち、帰還電圧および基準電圧１３を用いた演算）を停止し、最後（すなわち、動作制御信号５５が第１のレベルから第２のレベルに遷移する直前）に生成された演算結果信号５４の出力を継続する。
【０１２１】
動作制御回路５３０は、入力端子と出力端子とを備える。動作制御回路５３０の入力端子は、発振回路５００の出力端子に接続される。動作制御回路５３０の出力端子は、演算回路５２０の制御端子に接続される。
【０１２２】
動作制御回路５３０は、発振回路５００から三角波信号５１を受け取る。動作制御回路５３０は、三角波信号５１に同期した動作制御信号５５を生成し、演算回路５２０へと出力する。前述のように、演算回路５２０は、帰還電圧および基準電圧１３を用いた演算をこの動作制御信号５５に応じて間欠的に行う。動作制御回路５３０は、例えば三角波信号５１を分周することによって動作制御信号５５を生成してもよい。
【０１２３】
ＰＷＭ制御回路５７０は、入力端子と出力端子と制御端子とを備える。ＰＷＭ制御回路５７０の入力端子は、発振回路５００の出力端子に接続される。ＰＷＭ制御回路５７０の出力端子は、パワースイッチ回路１１０の制御端子に接続される。ＰＷＭ制御回路５７０の制御端子は、演算回路５２０の出力端子に接続される。
【０１２４】
ＰＷＭ制御回路５７０は、発振回路５００から三角波信号５１を受け取り、演算回路５２０から演算結果信号５４を受け取る。ＰＷＭ制御回路５７０は、演算結果信号５４の電圧をアナログ制御電圧として利用し、三角波信号５１をパルス幅変調することにより、スイッチング制御信号を生成する。ＰＷＭ制御回路５７０は、種々のパルス幅変調を行ってよい。例えば、ＰＷＭ制御回路５７０は、三角波信号５１の電圧がアナログ制御電圧未満である期間に亘って、スイッチング制御信号としてオンパルスを繰り返し生成してもよい。ＰＷＭ制御回路５７０は、スイッチング制御信号をパワースイッチ回路１１０へと出力する。
【０１２５】
本実施形態に係るスイッチング電源回路のさらなる具体例が図１１に示される。図１１のスイッチング電源回路は、発振回路５００と、パワースイッチ回路１１０と、演算回路５２０と、動作制御回路５３０と、ＰＷＭ制御回路５７０とを含む。図１１のスイッチング電源回路は、負荷１５０に接続される。図１１のパワースイッチ回路１１０は、その制御端子がＰＷＭ制御回路５７０の出力端子に接続される点で図２のパワースイッチ回路１１０とは異なる。
【０１２６】
図１１の発振回路５００は、三角波発生回路５０１を含む。  
三角波発生回路５０１は出力端子を備える。三角波発生回路５０１の出力端子は、発振回路５００の出力端子に接続される。三角波発生回路５０１は、所定の周波数で発振することによって三角波信号５１（ＶＳＡＷ）を生成し、出力端子を介して当該三角波信号５１（ＶＳＷ）を出力する。この三角波信号５１（ＶＳＡＷ）は、例えば図１２に示されるように、ノコギリ波の波形を持つ。
【０１２７】
図１１の演算回路５２０は、スイッチ５２１と、抵抗器５２２，５２３と、増幅器５２４と、スイッチ５２５と、保持回路５２６とを含む。  
スイッチ５２１は、第１の端子と第２の端子と制御端子を備える。スイッチ５２１の第１の端子は、演算回路５２０の第１の入力端子に接続される。スイッチ５２１の第２の端子は、抵抗器５２２の第１の端子に接続される。スイッチ５２１の制御端子は、演算回路５２０の制御端子に接続される。
【０１２８】
スイッチ５２１は、制御端子を介して動作制御信号５５（ＶＯＮ）を受け取り、当該動作制御信号５５（ＶＯＮ）に応じてＯＮ／ＯＦＦ動作する。すなわち、スイッチ５２１は、動作制御信号５５（ＶＯＮ）に応じて、演算回路５２０の第１の入力端子と抵抗器５２２の第１の端子との間を短絡または開放する。
【０１２９】
具体的には、動作制御信号５５（ＶＯＮ）が第１のレベルであるならば、スイッチ５２１は出力電圧１２（Ｖｏｕｔ）を抵抗器５２２へと供給する。他方、動作制御信号５５（ＶＯＮ）が第２のレベルであるならば、スイッチ５２１は出力電圧１２（Ｖｏｕｔ）の供給を遮断する。
【０１３０】
概括すれば、抵抗器５２２および抵抗器５２３は分圧器として機能する。抵抗器５２２は第１の端子および第２の端子を備え、抵抗器５２２の第１の端子はスイッチ５２１の第２の端子に接続され、抵抗器５２２の第２の端子は抵抗器５２３の第１の端子および増幅器５２４の第１の入力端子に共通に接続される。抵抗器５２３は第１の端子および第２の端子を備え、抵抗器５２３の第１の端子は抵抗器５２２の第２の端子および増幅器５２４の第１の入力端子に共通に接続され、抵抗器５２３の第２の端子は接地される。
【０１３１】
スイッチ５２１がＯＮであるならば、抵抗器５２２の第１の端子には当該スイッチ５２１を介して出力電圧１２（Ｖｏｕｔ）が印加される。出力電圧１２（Ｖｏｕｔ）は、抵抗器５２２および抵抗器５２３の抵抗値比に従って分圧される。結果的に、抵抗器５２２の第２の端子および抵抗器５２３の第１の端子における電圧が、帰還電圧（ＶＦＢ）として増幅器５２４の第１の入力端子に印加される。例えば、抵抗器５２２の抵抗値がＲ１、抵抗器５２３の抵抗値がＲ２であるならば、ＶＦＢ＝Ｒ２＊ＶＯＵＴ／（Ｒ１＋Ｒ２）が成立する。
【０１３２】
増幅器５２４は、第１の入力端子と第２の入力端子と出力端子と制御端子とを備える。増幅器５２４の第１の入力端子は、抵抗器５２２の第２の端子および抵抗器５２３の第１の端子に共通に接続される。増幅器５２４の第２の入力端子には、基準電圧１３（ＶＲＥＦ）が印加される。増幅器５２４の出力端子は、スイッチ５２５の第１の端子に接続される。増幅器５２４の制御端子は、演算回路５２０の制御端子に接続される。
【０１３３】
増幅器５２４は、第１の入力端子に印加される帰還電圧（ＶＦＢ）と第２の入力端子に印加される基準電圧１３（ＶＲＥＦ）とを用いて演算を行う。増幅器５２４は、例えば、帰還電圧（ＶＦＢ）と基準電圧１３（ＶＲＥＦ）との間の差動電圧（ＶＦＢ−ＶＲＥＦ）を演算し、当該差動電圧を反転増幅した電圧を持つ演算結果信号５４を生成する。増幅器５２４は、演算結果信号５４を出力端子を介して出力する。
【０１３４】
増幅器５２４は、制御端子を介して動作制御信号５５（ＶＯＮ）を受け取る。動作制御信号５５（ＶＯＮ）が第１のレベルであるならば、増幅器５２４は前述の動作（すなわち、帰還電圧（ＶＦＢ）および基準電圧１３（ＶＲＥＦ）を用いた演算）を行う。他方、動作制御信号５５（ＶＯＮ）が第２のレベルであるならば、増幅器５２４は前述の動作を停止する。すなわち、増幅器５２４は、動作制御信号５５（ＶＯＮ）に応じて間欠動作する。
【０１３５】
スイッチ５２５は、第１の端子と第２の端子と制御端子を備える。スイッチ５２５の第１の端子は、増幅器５２４の出力端子に接続される。スイッチ５２５の第２の端子は、保持回路５２６の入力端子に接続される。スイッチ５２５の制御端子は、演算回路５２０の制御端子に接続される。
【０１３６】
スイッチ５２５は、制御端子を介して動作制御信号５５（ＶＯＮ）を受け取り、当該動作制御信号５５（ＶＯＮ）に応じてＯＮ／ＯＦＦ動作する。すなわち、スイッチ５２５は、動作制御信号５５（ＶＯＮ）に応じて、増幅器５２４の出力端子と保持回路５２６の入力端子との間を短絡または開放する。
【０１３７】
具体的には、動作制御信号５５（ＶＯＮ）が第１のレベルであるならば、スイッチ５２５は増幅器５２４からの演算結果信号５４（ＶＡ）を保持回路５２６へと供給する。他方、動作制御信号５５（ＶＯＮ）が第２のレベルであるならば、スイッチ５２５は増幅器５２４からの演算結果信号５４（ＶＡ）の供給を遮断する。
【０１３８】
保持回路５２６は、入力信号を保持し、保持している信号を出力する。保持回路５２６は、入力端子および出力端子を備える。保持回路５２６の入力端子は、スイッチ５２５の第２の端子に接続される。保持回路５２６の出力端子は、演算回路５２０の出力端子に接続される。保持回路５２６は、例えばサンプル／ホールド回路である。
【０１３９】
保持回路５２６は、スイッチ５２５のＯＮ期間に、入力端子を介して演算結果信号５４（ＶＡ）を受け取り、これを保持する。そして、保持回路５２６は、保持している演算結果信号５４（ＶＡ）を出力端子を介して出力する。なお、スイッチ５２５のＯＦＦ期間には、増幅器５２４は演算結果信号５４（ＶＡ）を生成しないが、保持回路５２６はスイッチ５２５がＯＦＦとなる直前（すなわち、動作制御信号５５（ＶＡ）が第１のレベルから第２のレベルに遷移する直前）に入力した演算結果信号５４（ＶＡ）を保持している。故に、保持回路５２６は、スイッチ５２５のＯＦＦ期間であっても演算結果信号５４（ＶＡ）を出力できる。
【０１４０】
図７の動作制御回路５３０は、分周回路５３１を含む。  
分周回路５３１は、入力端子と出力端子とを含む。分周回路５３１の入力端子は、動作制御回路５３０の入力端子に接続される。分周回路５３１の出力端子は、動作制御回路５３０の出力端子に接続される。
【０１４１】
分周回路５３１は、入力端子を介して三角波信号５１（ＶＳＡＷ）を受け取る。分周回路５３１は、三角波信号５１（ＶＳＡＷ）を分周することによって分周信号を生成する。分周回路５３１は、分周信号を動作制御信号３５（ＶＯＮ）として出力端子を介して出力する。すなわち、動作制御信号５５（ＶＯＮ）は定常的に分周信号に相当する。分周回路５３１によって用いられる分周比が大きいほど、演算回路５２０の動作頻度は低くなる。なお、分周比は１であってもよく、この場合に分周回路５３１は省略可能である。
【０１４２】
図１１のスイッチング電源回路は、図１２に例示されるように動作する。図１２において、ＩＬＯＡＤは負荷１５０を流れる負荷電流を表す。ＶＳＷは、スイッチング制御信号の波形を表している。
【０１４３】
図１２の例では、時刻ｔ１までは帰還電圧（ＶＦＢ）が基準電圧１３（ＶＲＥＦ）未満の状態であるので、演算回路５２０は、動作時には、帰還電圧（ＶＦＢ）および基準電圧１３（ＶＲＥＦ）を用いた演算を行い、基準電圧１３（ＶＲＥＦ）に対する帰還電圧（ＶＦＢ）の差動電圧（ＶＦＢ−ＶＲＥＦ）が低いほど高い電圧を持つ演算結果信号５４（ＶＡ）を生成し続け、動作時および動作停止時に関わらずこの演算結果信号５４（ＶＡ）を出力し続ける。
【０１４４】
なお、帰還電圧（ＶＦＢ）が基準電圧１３（ＶＲＥＦ）未満である期間に演算回路５２０によって生成される演算結果信号５４（ＶＡ）の電圧は、三角波信号５１（ＶＳＡＷ）の下限電圧よりも高く設計されている。故に、ＰＷＭ制御回路５７０は、係る演算結果信号５４（ＶＡ）に応じて、オンパルスを含むスイッチング制御信号（ＶＳＷ）を生成し続ける。そして、パワースイッチ回路１１０は、スイッチング制御信号（ＶＳＷ）を用いて出力電圧１２（Ｖｏｕｔ）を上昇させる。他方、演算回路５２０は、動作制御信号５５（ＶＯＮ）としての三角波信号（ＶＳＡＷ）の分周信号（分周比は３）に応じて間欠動作する。
【０１４５】
時刻ｔ１に、帰還電圧（ＶＦＢ）が基準電圧１３（ＶＲＥＦ）に一致する。しかしながら、時刻ｔ１では、動作制御信号５５（ＶＯＮ）がＬｏｗレベルであるので、演算回路５２０は動作を停止しており、最後に生成した演算結果信号５４（ＶＡ）を出力し続ける。
【０１４６】
時刻ｔ２に、動作制御信号５５（ＶＯＮ）がＨｉｇｈレベルとなり、演算回路５２０は動作を再開する。演算回路５２０は、帰還電圧（ＶＦＢ）および基準電圧１３（ＶＲＥＦ）を用いた演算を行い、基準電圧１３（ＶＲＥＦ）に対する帰還電圧（ＶＦＢ）の差動電圧（ＶＦＢ−ＶＲＥＦ）が低いほど高い電圧を持つ演算結果信号５４（ＶＡ）を生成して出力する。
【０１４７】
なお、帰還電圧（ＶＦＢ）が基準電圧１３（ＶＲＥＦ）以上である期間に演算回路５２０によって生成される演算結果信号５４（ＶＡ）の電圧は、三角波信号５１（ＶＳＡＷ）の下限電圧以下に設計されている。故に、ＰＷＭ制御回路５７０は、係る演算結果信号５４（ＶＡ）に応じて、オンパルスを含まないスイッチング制御信号（ＶＳＷ）を生成する。そして、パワースイッチ回路１１０は動作を停止する。他方、演算回路５２０は、動作制御信号５５（ＶＯＮ）としての三角波信号５１（ＶＳＡＷ）の分周信号に応じて引き続き間欠動作する。すなわち、演算結果信号５４（ＶＡ）の電圧が三角波信号５１（ＶＳＡＷ）の下限電圧以下である限り、パワースイッチ回路１１０は動作を停止し続け、演算回路５２０は間欠動作し続ける。
【０１４８】
時刻ｔ３から時刻ｔ４まで負荷１５０に負荷電流（ＩＬＯＡＤ）が流れることにより、出力電圧１２（Ｖｏｕｔ）は下降し、これに伴って帰還電圧（ＶＦＢ）も下降する。
【０１４９】
時刻ｔ３から時刻ｔ４までの間に、帰還電圧（ＶＦＢ）が基準電圧１３（ＶＲＥＦ）を下回る。しかしながら、時刻ｔ５までは、動作制御信号５５（ＶＯＮ）がＬｏｗレベルであるので、演算回路５２０は動作を停止しており、最後に生成した演算結果信号５４（ＶＡ）を出力し続ける。
【０１５０】
時刻ｔ５に、動作制御信号５５（ＶＯＮ）がＨｉｇｈレベルとなり、演算回路５２０は動作を再開する。演算回路５２０は、帰還電圧（ＶＦＢ）および基準電圧１３（ＶＲＥＦ）を用いた演算を行い、基準電圧１３（ＶＲＥＦ）に対する帰還電圧（ＶＦＢ）の差動電圧（ＶＦＢ−ＶＲＥＦ）が低いほど高い電圧を持つ演算結果信号５４（ＶＡ）を生成して出力する。
【０１５１】
ＰＷＭ制御回路５７０は、係る演算結果信号５４（ＶＡ）に応じて、オンパルスを含むスイッチング制御信号（ＶＳＷ）を再び生成し、これに伴いパワースイッチ回路１１０も動作を再開する。故に、帰還電圧（ＶＦＢ）は上昇に転じる。他方、演算回路５２０は、動作制御信号５５（ＶＯＮ）としての三角波信号５１（ＶＳＡＷ）の分周信号（分周比は３）に応じて間欠動作する。
【０１５２】
以上説明したように、第５の実施形態に係るスイッチング電源回路は、パワースイッチ回路の動作状態に関わらず、当該パワースイッチ回路の駆動に間接的に用いられる三角波信号に同期した動作制御信号を生成し、演算回路を間欠動作させる。従って、このスイッチング電源回路によれば、パワースイッチ回路の動作状態に関わらず、演算回路を間欠動作させることにより消費電力を削減することができる。なお、このスイッチング電源回路は、パワースイッチ回路の間接的な駆動信号源を用いて演算回路を間欠動作させるので、新たな信号源の追加を必要としない。
【０１５３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１５４】
１１，３１，４１・・・クロック信号
１２・・・出力電圧
１３・・・基準電圧
１４・・・比較結果信号
１５，２５，３５，５５・・・動作制御信号
５１・・・三角波信号
５４・・・演算結果信号
１００，２３３，３００，４００，５００・・・発振回路
１０１，３０１・・・コンスタントオンタイム比較回路
１１０・・・パワースイッチ回路
１１１・・・インダクタ
１１２，１２１，１２５，３６０，５２１，５２５・・・スイッチ
１１３・・・ダイオード
１１４・・・キャパシタ
１２０・・・比較回路
１２２，１２３，５２２，５２３・・・抵抗器
１２４・・・コンパレータ
１２６，５２６・・・保持回路
１３０，２３０，３３０，５３０・・・動作制御回路
１３１，２３１，３３１，５３１・・・分周回路
１３２・・・論理回路
１４０・・・入力電圧源
１５０・・・負荷
２３２・・・セレクタ
５０１・・・三角波発生回路
５２０・・・演算回路
５２４・・・増幅器
５７０・・・ＰＷＭ比較回路
【図１】
0006382702.tif 000002
【図２】
0006382702.tif 000003
【図３】
0006382702.tif 000004
【図４】
0006382702.tif 000005
【図５】
0006382702.tif 000006
【図６】
0006382702.tif 000007
【図７】
0006382702.tif 000008
【図８】
0006382702.tif 000009
【図９】
0006382702.tif 000010
【図１０】
0006382702.tif 000011
【図１１】
0006382702.tif 000012
【図１２】
0006382702.tif 000013